(57)【要約】  基板と、少なくとも１つの有機光層と、その少なくとも１つの有機層により電気的に分離される少なくとも２つの電極層と、少なくとも１つのカプセル化層とを有する光デバイスが開示される。その少なくとも１つの有機層は、基板と少なくとも１つのカプセル化層との間に配置され、流体及び／又は熱がそこを通り抜けることを可能にするよう光デバイスを通り延在する複数の開口部が与えられる。その開口部は、少なくとも１つの光有機層とは間隔を空けて配置される。
2009540557.tif 000002
【特許請求の範囲】
【請求項１】
基板と、少なくとも１つの光有機層と、前記少なくとも１つの光有機層により電気的に分離される少なくとも２つの電極層と、少なくとも１つのカプセル化層とを有し、前記少なくとも１つの光有機層が、前記基板と前記少なくとも１つのカプセル化層との間に配置され、前記少なくとも１つの光有機層から間隔を空けて配置される複数の開口部が、該開口部を流体及び／又は熱が通過することを可能にするよう前記光デバイスを通り与えられる、光デバイス。
【請求項２】
少なくとも前記少なくとも１つの光有機層が、前記開口部の領域で中断され、好ましくは前記少なく１つのカプセル化層の少なくとも１つ及び／又は前記少なくとも２つの電極層の少なくとも１つによって、前記開口部から封印される、請求項１に記載の光デバイス。
【請求項３】
前記開口部が、少なくとも前記基板と前記少なくとも１つのカプセル化層とを通るよう構成される、請求項１又は２に記載の光デバイス。
【請求項４】
前記開口部が、前記電極の少なくとも１つを通るよう構成される、請求項１乃至３のいずれか一項に記載の光デバイス。
【請求項５】
前記少なくとも２つの電極層の第１の層が、前記光有機層を覆うカソード層であり、前記少なくとも２つの電極層の第２の層は、前記光有機層により覆われるアノード層である、請求項１乃至４のいずれか一項に記載の光デバイス。
【請求項６】
少なくとも１つのカプセル化層が、誘電物質のスタックされたサブレイヤを有し、好ましくは、第１及び第３のサブレイヤは、窒化ケイ素に基づかれ、好ましくは、前記第１のサブレイヤと前記第３のサブレイヤとの間の第２のサブレイヤが、酸化ケイ素、酸窒化ケイ素、酸フッ化ケイ素、酸化チタン、酸化タンタル、酸化ジルコニウム、酸化ハフニウム、酸化アルミニウム、又はこれらの任意の混合物から選択される、請求項１乃至５のいずれか一項に記載の光デバイス。
【請求項７】
電源又は少なくとも電源接続回路が与えられ、前記電源は好ましくは、対応する開口部を備えるリチレンバッテリを有する、請求項１乃至６のいずれか一項に記載の光デバイス。
【請求項８】
開口又は溝といった弱端要素を有する少なくとも１つの裂分断領域が与えられ、前記領域は好ましくは、光有機層が該領域に存在しないよう構成される、請求項１乃至７のいずれか一項に記載の光デバイス。
【請求項９】
前記基板が実質上、ガラス及び／又は金属から作られる、請求項１乃至８のいずれか一項に記載の光デバイス。
【請求項１０】
前記光有機層及び前記少なくとも２つの電極層が、少なくとも２つのカプセル化層の間で延在する、請求項１乃至９のいずれか一項に記載の光デバイス。
【請求項１１】
前記基板が実質上、合成樹脂から作られる、請求項１０に記載の光デバイス。
【請求項１２】
前記光デバイスが、少なくとも実質的に柔軟であり、及び／又は体の部位に適合可能である、請求項１乃至１１のいずれかに記載の光デバイス。
【請求項１３】
前記少なくとも１つの光有機層が、少なくとも１つのＯＬＥＤ層及び／又は有機光起電層を有する、請求項１乃至１２のいずれかに記載の光デバイス。
【請求項１４】
光デバイスを生産する方法において、
第１の電極層が、基板に与えられ、かつ穿孔領域で中断され、少なくとも１つの光有機層は、前記第１の電極層及び／又は前記基板に与えられ、かつ前記穿孔領域で中断され、第２の電極層が、前記少なくとも１つの光有機層を覆うよう与えられ、かつ前記第１の電極層から電気的に分離され、少なくとも１つのカプセル層は、前記少なくとも１つの光有機層と前記電極層とを覆うよう与えられ、前記光デバイスが、前記穿孔領域で穿孔される、方法。
【請求項１５】
少なくとも第２のカプセル化層が、前記他のカプセル化層の反対側に与えられ、前記光有機構造体と前記電極とは、前記カプセル化層の間で延在する、請求項１４に記載の方法。
【請求項１６】
前記デバイスが、レーザ、好ましくはＣＯ２レーザを用いて穿孔される、請求項１４又は１５に記載の方法。
【請求項１７】
前記少なくとも１つの光有機層が、少なくとも１つのＯＬＥＤ及び／又は有機光起電層を有する、請求項１４乃至１６のいずれか一項に記載の方法。
【発明の詳細な説明】
【技術分野】
【０００１】
本発明は、基板、少なくとも１つの光有機層、及び少なくとも２つの電極層を有する光デバイスに関する。
【０００２】
本発明は、光デバイスを製造する方法にも関する。
【背景技術】
【０００３】
特にＩＲ及び／又は赤色光といった光は、人体に対して有益な効果を持つ。以下に挙げる事項に限定されるものではないが、例えば、筋肉痛及び関節のこりの効果的な解放；例えば潰瘍におけるバクテリアの除去及び／若しくは低減、又は傷の治癒の促進；コラーゲン生成、接続組織の安定化、やけどなどの傷の治療のための線維芽細胞の刺激、セルライト治療、ニキビ、及び／又はしわにおける可能な援助のための光誘起(light-induced)血管及びリンパ血管の血管拡張；湿疹のような炎症の予防及び／又は治療；並びに特定の皮膚病の治療等に使用される。光線療法といった光の適用は、事故又は手術後の病院での滞在時間を短くし、家庭等での回復を速めることができる。例えば皮膚の改善といった美容治療も、光線治療から利益を得ることができる。例えば、皮膚に光を放出するＬＥＤ(発光ダイオード)を備え、皮膚に適用される有益な光線治療デバイスが、知られている。
【発明の開示】
【発明が解決しようとする課題】
【０００４】
皮膚に適用されるこれらのタイプの光デバイスは、防水性素材から構成され、水分がデバイスを通過することは許されない。光デバイスは、湿度又はほこりといった外部要素から治療領域を保護する。しかしながら、これは、皮膚にかなりの湿度を与え、その光デバイスの下の熱の生成ももたらすことになる。このことは、治療処理にとっては有益ではないこととなり、感染及びバクテリアが増殖することをもたらす場合がある。
【０００５】
本発明の目的は、流体及び／又は熱が皮膚にダメージを与えることを防止することにある。
【課題を解決するための手段】
【０００６】
上記目的及び他の目的は、基板と、少なくとも１つの光有機層と、上記少なくとも１つの光有機層により電気的に分離される少なくとも２つの電極層と、少なくとも１つのカプセル化層とを有し、上記少なくとも１つの光有機層が、上記基板と上記少なくとも１つのカプセル化層との間に配置され、上記少なくとも１つの光有機層から間隔を空けて配置される１つ又は複数の開口部が、上記開口部を流体及び／又は熱が通過することを可能にするよう上記光デバイスを通り与えられる、光デバイスにより達成される。
【０００７】
本発明による光デバイスでは、空気が、開口部を通り換気されることができ、皮膚からの流体及び／又は熱を除去するため、流体及び／又は熱風がそこを通過することを可能にする。発明者は、特定の場合に、外側からの流体及び気体から皮膚を保護するより、流体及び／又は気体を皮膚から逃すほうがより有益であることを発見した。また、発明者は、発光源が光有機物質を持っており、それ自身が穿孔に適していないとしても、光デバイスを穿孔することが可能であることも発見した。
【０００８】
空気が開口部を通過することを可能にすると、ＯＬＥＤにより皮膚に伝達される熱は、開口部の下にある近隣皮膚部分を介して逃げることができる。また、皮膚及び／又は光デバイスを動かすことで、開口部を介してある種の「ポンピング」効果が得られる。
【０００９】
この明細書では、「光有機層」という用語は、少なくともＯＬＥＤ層、有機光起電層、又は類似の有機物質及び／又は構造の層を表す。これらの層は同様な特性を持つので、電流が光に変換される場合、及び／又はその逆の場合に(ＯＬＥＤは両方実行可能である)、本発明の範囲が、斯かるすべての層を包含する。
【００１０】
本発明の実施形態は、光有機層を、開口部が配置されるような領域で中断する。開口部を通過する及び／又は開口部の上を通過する気体及び／又は流体によりダメージを受けないよう、その光有機層は、少なくとも１つの他の層で封じられる。
【００１１】
上記目的及び他の目的は、光デバイスを生産する方法において、第１の電極層が、基板に与えられ、かつ穿孔領域で中断され、少なくとも１つの光有機層は、上記第１の電極層及び／又は上記基板に与えられ、かつ上記穿孔領域で中断され、第２の電極層が、上記少なくとも１つの光有機層を覆うよう与えられ、かつ上記第１の電極層から電気的に分離され、少なくとも１つのカプセル層は、上記少なくとも１つの光有機層と上記電極層とを覆うよう与えられ、上記光デバイスが、上記穿孔領域で穿孔される、方法によっても達成される。
【発明を実施するための最良の形態】
【００１２】
本明細書において、同一又は対応する部分は、同一又は対応する参照符号を持つ。示される例示的な実施形態は、いかなる態様においても限定的であると解釈されるべきではなく、単に説明のためだけに機能するものである。
【００１３】
光デバイス１の実施形態が、図１Ａ及び図１Ｂの平面図に部分的に示される。その断面が、図２Ａに示される。光デバイス１は、薄膜カプセル化層７と基板３との間に配置される光源２を有する。光源２は、アノード４、ＯＬＥＤ(有機発光ダイオード)層５、及びカソード６を有する。図２Ａから分かるように、アノード４は、ＯＬＥＤ５により覆われ、ＯＬＥＤは続いて、ＯＬＥＤ５がアノード４とカソード６とを電気的に分離するような態様でカソード６により覆われる。開口部８は、光デバイス１を通り延在し、より詳細には、基板３、カソード６、及びカプセル化層７を通り延在し、アノード４及びＯＬＥＤ５とは間隔を空けて配置される。
【００１４】
光デバイス１は、体の部位に配置されることができ、例えば治療過程を強化する光線治療を適用するため又は美容目的のため、少なくともその体の方向に光を放出することができる。好ましくは、それが人体の外部部位に適合するよう、光デバイス１は、比較的柔軟である。また光源２は柔軟であるか、又は少なくとも部分的に人体に適合可能とされることができる。また、互いに対して動かされることができる複数の硬いセグメントから光源２が構築されることもできる。こうして、形状を変化させることが可能な面が与えられる。好ましくは、光源２は、それが包帯及び／又は石こう同様十分に都合のよいように形状変化されることができるよう、その全体面に対して柔軟である。
【００１５】
汗といった体液が開口部８を通過できることが有利である。例えば傷の中に存在することができる又は体外から来ることができる他の流体も、外に出ることができる(escape)。これは、炎症を防ぐことができ、治療処理を更に速く強化することができる。流体がより容易に外に出ることを可能にするため、光デバイス１の実施形態は、治療が行われる場所で小さな距離で保たれるよう構成される。
【００１６】
例えば、光デバイス１は、皮膚又は傷からある距離で保たれるが、例えば炎症を防ぐためその皮膚又は傷に触れない。光デバイス１は、例えば、皮膚からおよそ０．１ｍｍの距離、及び／又は傷からおよそ５０ｍｍまでの距離、好ましくはおよそ２〜３０ｍｍの間の距離に保たれることができる。これは例えば傷付近での十分な空気の通り道を確保するためである。光デバイス１は、この距離を設定するスペーサを有することができる。これらのスペーサは、例えば、スポット状の接着剤、柔らかい孔層、ガーゼ等を有することができる。
【００１７】
通常、ＯＬＥＤ５は、皮膚に向かって何らかのエネルギーを放散することもできる熱アイソレータとして機能する。表面が良好なエアフローを許容しない場合、これは結果として、連続加熱を生じさせる。従って、有利な実施形態において、空気の入れ替えを可能にすることにより温度加熱が減らされる。更なる側面において、光デバイス１は、例えば追加的な冷却チャネルを具備することができる。
【００１８】
実施形態において、基板３は、例えば厚さ２ｍｍの厚ｔｓを持つガラス素材を有する。他の実施形態において、基板３は、かなり硬いが、互いに対して動くことができる部分を有する。それにより、比較的柔軟な構造が得られる。基板３は、金属物質を有することができるか、又は部分的に金属、部分的にガラスとすることもできる。少なくとも部分的に金属から作られる基板３は、比較的硬い、柔軟及び／又は反射的となるよう構成されることができる。金属が支配的に使用される場合、光デバイス１の実施形態は、基板３の反対側に向かって透過的である。こうして、上部電極は透過的である。例えば、ＩＴＯが上部電極物質として使用される。
【００１９】
図２Ａの実施形態において、アノード４は好ましくは、透過的である。例えば、ＩＴＯ(インジウムスズ酸化物)から作られる。アノード層の厚ｔａは、例えば、１５０ｎｍである。図２Ａから分かるように、アノード４は、穿孔領域９の近くで中断される。アノード４の基板３への適用の間又は適用後に、これらの中断を提供するため、さまざまな生産方法が使用されることができる。有利な実施形態では、その中断は穴１０を有する。例えば、穴１０を有するアノード層が、スパッタリング技術を用いて適用されることができる。穴１０は、例えば、リソグラフィ若しくはエッチング技術を用いて、又はその組合せにより、アノード層が提供された後に適用されることもできる。アノード４は、例えば、図１Ａに示される穴１０を備える連続的な面として形成されることもできる、及び／又は、穿孔領域９が図１Ｂに示されるような複数の面の間に配置されるよう、複数の面が形成されることができる。後者の実施形態において、アノード領域は、回路を用いて相互接続されてもよい。回路は図示省略されている。
【００２０】
図示される実施形態において、ＯＬＥＤ５は、アノード４の上部に適用される。ＯＬＥＤ５は、電極の電気的分離を実現するため、アノード４の側面エッジの上に延在する。既知の態様において、ＯＬＥＤ５は例えば、正孔輸送層と発光ポリマ層との有機サブレイヤを有する。その厚ｔｈは例えば、それぞれ１００ｎｍ及び８０ｎｍである。十分に小さい分子を有するＯＬＥＤ５は、正孔注入層、放出層、ブロック層、及び電子輸送層のサブレイヤを有することができる。このタイプのＯＬＥＤ５は有利には、例えば蒸着を用いて提供されることができる。
【００２１】
水分がＯＬＥＤ５を傷つけ、ＯＬＥＤ５の寿命及び／又は電気性能を劣化させることを防止するため、後者は、穿孔領域９の近くで中断される。有利な実施形態において、これらの中断は、穴１１により形成される。ＯＬＥＤ層は好ましくは、穴１１を備える連続面として形成される。その場合、光は、面全体にわたり十分に放出されるが、比較的小さな穴１１により中断される。穿孔領域９が複数の面の間に配置されるよう、複数のＯＬＥＤパターンが適用されることもできる。
【００２２】
別の実施形態では、ＯＬＥＤ５及び／又はアノード４の中断は、ＯＬＥＤ及び／又はアノード物質の不活性領域が、開口部８の近くで除去されないような態様で構成される。電気的に不活性なＯＬＥＤ及び／又はアノード物質は、それらが電気的に接続されていないよう、物質がそれらの間から除去されるという点で、電気的な活物質とは分離されることができる。
【００２３】
カソード６が、ＯＬＥＤ５の上部に延在する。カソード６は例えば、当業者に知られた薄膜金属物質から作られる。例えば、ＬｉＦ，Ａｌ，ＺｎＳｅ及び／又はＩＴＯといった薄膜金属及び／又はこれらの金属のスタックから作られ、それもまた透過的とすることができる。例えば、１ｎｍのＬｉＦ，１．５ｎｍのＡｌ、１０ｎｍのＡｇ、３０ｎｍのＺｎＳｅ及び／又はＩＴＯがあげられる。カソード６の厚ｔｃは例えば、１００ｎｍのオーダである。図２Ａに示される実施形態において、カソード６は、上部表面とＯＬＥＤ５の側面エッジにわたり開口部８まで延在する。こうして、カソード物質の任意の可能な酸化が、比較的小さな領域に制限されることになり、ＯＬＥＤ５には到達しないことになる。この実施形態において、カソード６は、比較的簡単に適用されることができ、その後穿孔される。カソード６は、カプセル化層７と基板３との間のシールとしても機能することができる。そのシールは、ＯＬＥＤ５を密封する。
【００２４】
原理上、光デバイス１は、図２Ａの実施形態と比較してカソード６とアノード４とを交換した状態を持つこともできる。即ち、基板３上にカソード６があり、上部にアノード４があるとすることができる。
【００２５】
カプセル化層７は、カソード層６の上部に延在し、カソード層の面から水分及び／又は気体を遮蔽するよう構成される。カプセル化層７は、その下の層の上を開口部８まで十分に延在することができる。例示的な実施形態において、カプセル化層７は、およそ１０μｍの厚ｔｅを持つ。そのうち、例えば、０．６μｍはシール物質であり、残りは、保護コーティングである。カプセル化層７は好ましくは、薄膜カプセル化層を有する。
【００２６】
ある実施形態において、カプセル化層７は、本書でも参照により組み込まれる特許出願WO2003050895号に記載されるように、ＮＯＮＯＮ(Ｎは窒化物、Ｏは酸素)スタック等を有する。この種のカプセル化層７は、誘電物質のスタックされたサブレイヤを有する。第１及び第３のサブレイヤは好ましくは、窒化ケイ素であり、第２のサブレイヤは好ましくは、酸化ケイ素、酸窒化ケイ素、酸フッ化ケイ素(silicon oxidefluoride)、酸化チタン、酸化タンタル、酸化ジルコニウム、酸化ハフニウム、酸化アルミニウム、又はこれらの任意の混合物から選択される。
【００２７】
ある実施形態において、光源２の厚は、およそ２００μｍである。
【００２８】
本発明による方法の実施形態において、カソード６及び／又はカプセル化層７は、図２Ｂ及び図３Ｂにより示されるように、任意の適切な生産方法によりその層状構造の上部に堆積され、その後開口部８で穿孔されることができる。その結果、中断されたアノード４とＯＬＥＤ５とが、開口部８から隔離される(isolate:遠ざけられる)。即ちカソード６及び／又はカプセル化層７により密封される。
【００２９】
例えばＯＬＥＤ物質といった光デバイス１において使用される物質に基づき、光デバイス１を開口部８で穿孔するのに適したさまざまな生産方法が存在する。例えば、開口部８を約４０μｍの直径ｄで作るため、ＣＯ２レーザが使用されることができる。他の穿孔方法は、例えば、針又はピンによる穿孔；機械的、スパーク、砂、水又はレーザドリル；ウェット又はドライエッチング等を含む。
【００３０】
有利な実施形態においては、図３Ａ及び図３Ｂに示されるように、合成樹脂基板３が使用される。ある合成樹脂物質を用いると、水分が、合成樹脂物質で作られる合成樹脂基板３を貫通することを止めることが困難である。そのため、追加的なカプセル化層７Ａが適用されることができ、これが、上述の層を水分から密封する。例えばポリイミドから作られる合成樹脂基板３は、比較的自由に変形可能な薄くて柔軟で透過なものであるよう作られることができる。
【００３１】
本発明による光デバイス１の実施形態の有利な例が、図４に概略的に示される。図４に示される光デバイス１は、複数の光デバイスを有するシート１２であるよう構成される。使用前に光デバイス１は、例えば切り取り線１３の近くでシート１２から切り離されることができる。石こう１１もシート１２から裂いて分けることができる。線１３は、穿孔線１３又は他の何らかのタイプの線１３である。好ましくはＯＬＥＤ５は、線１３の近くには全く存在せず、その結果、ＯＬＥＤは密封されたままになる。また、アノード４は、線１３がアノード層を横断しないよう構成されることができる。この実施形態では、例えば、基板３の比較的大きな分離領域が、アノード４により覆われていない。その結果、基板３は、アノード４の間で分離されることができる。例えば、図示される線１３は、光デバイス１をシート１２から分離すべき場所を指定するため分離領域に配置されることができる。有利な実施形態において、開口部８は、複数の光デバイスシート１２の一部を裂いて分けるのに便利に使用されることができる。一方、ＯＬＥＤ５は既に、図１Ｂに示される実施形態のように、開口部８から密封されている。もちろん、例えば、線１３を用いることなく、光デバイス１を切り離す、又は裂いて分けることも可能である。シート１２及び分離された光デバイス１は、任意の形状及び／又は形態へとデザインされることができる。これは、到達が容易又は困難な場所にある小さなボディパーツだけでなく大きなボディパーツを覆うために光デバイス１を例えば事前に所定の形状とすることを可能にする。こうして、同じシート１２又はその一部を用いて、例えば、小さな顔のしわだけでなく、大きな背中のやけどを治療することが可能である。
【００３２】
光デバイス１のバッテリ又はパワー供給源１４は、光デバイス自身と略同じ程度の薄さとすることができる。バッテリ１４は、再充電可能なバッテリ１４とすることができ、その結果、好ましいタイプ及び／又は使用法に応じて、バッテリ１４を複数回再利用することができるか、又は光デバイス１に一体化されることができる。バッテリ１４は、任意のタイプのバッテリ１４とすることができ、例えば、化学タイプのバッテリ１４、光デバイス１を通る電流を提供することができるコンデンサ又はいずれかの電気的電源とすることができる。電気的電源の例は、さまざまな種類のＮｉＭＨシステムとすることができる。Ｌｉイオンシステム及び燃料電池も提供されることができる。例えば、「従来の」タイプは、Ｌｉイオン、ポリマ、及びゲルタイプのシステムの場合に使用されることができる。半導体バッテリが望ましい。例えば、半導体バッテリは漏れがないからである。これらは、例えば、硬い基板、柔軟な(ポリマ)基板又は他のタイプの基板に与えられることができる。当業者であれば、複数の電源が本発明の範囲内で適していることを理解されるであろう。
【００３３】
好ましい実施形態において、好ましくは再充電可能なリチレン(lithylen)バッテリ１４が、光デバイス１に使用される。有利には、これらのシステムは、予め形成され、事実上任意の形状の合成樹脂及び／又は電子筐体に完全に一体化されることができる。このタイプのバッテリ１４は、原理上任意の所望の形状で与えられることができ、例えば、およそ１ｍｍの厚を持つことができる。電源はおよそ、３．８Ｖとすることができ、商業的又は治療的により高い輝度レベルに興味がある場合には、リチレンバッテリは例えば、電圧を増加させるため直列に接続されることができる。通常のリチレンバッテリ１４は例えば、およそ１２００ｍＡｈを供給することができ、およそ１００ｃｍ２の表面積を持ち、およそ５０Ｃｄ／ｍ２の光を放つポリＬＥＤ(polyled)を供給することができる。電流は、２４時間に対しておよそ１０ｃｄ／Ａの効率性を持つ。
【００３４】
リチレンバッテリ１４の１つの利点は、容易にスタックされることができることである。その結果、光デバイス１の動作時間が延長されることができる。更に、リチレンバッテリ１４は、デザインにおける有利な自由度を可能にする。バッテリ１４は例えば、穿孔され、光デバイス１の上部に配置されることができる。図４に示されるように、光デバイス１の実施形態は、バッテリ１４を有し、そこでは、開口部８に対応する穴１５が与えられる。バッテリ穴１５は、開口部８と同じ態様でパターン化される。その結果、体液及び／又は気体がそこを通過することができる。
【００３５】
バッテリ１４と光デバイス１との組み合わせ及び／又は接続は好ましくは、比較的硬いものであり、例えばスポーツのようなかなりの運動の間、及び／又は物にあたるとき、及び／又は例えば人が光デバイス１に座るときといった負荷がかかるときでも、皮膚に接続された状態のままである。
【００３６】
特定の側面において、バッテリ１４は、例えば光デバイス１に固定して接続及び／又は一体化されることができる。その結果、使用後に光デバイス１と一緒に処分されることができる。光デバイス１はバッテリ１４以外の他の手段により電気を与えられることもできる。例えば、ローカル電気ネットワーク、太陽エネルギー、電荷誘導などである。
【００３７】
別の側面において、光デバイス１は、体を覆うものとして着用されることができ、従って、少なくとも部分的に柔軟であるよう構成されることができる。光デバイス１は、石こう、包帯、又は衣服の１つとして使用されるよう構成されることができる。石こう、包帯、又は衣服において使用されるのと同様な要素が、光デバイス１に一体化されることができる。使用に便利であるため、例えば、家庭でのユーザのため、光デバイス１は、廃棄可能に構成される。即ち、安価で、比較的軽量の物質から作られる、及び／又は比較的短期の使用を想定して構成される。
【００３８】
ある実施形態において、光源２は、少なくとも１つのポリマ太陽電池２を有する。即ち、有機光起電物質２である。これらのデバイス２は、２つの電極４、６の間にＯＬＥＤ光デバイス２、一般的に言うと有機層５と同じ構造及び特性を持つ。上述の説明は、光を電気に変換するよう構成される有機光起電デバイス２にも同様に適用されることができる。ここで、太陽電池２は例えば、少なくとも部分的に金属から作られる基板３と組み合わせて都合よく適用されることができる。有機光起電デバイス２を有する光デバイス１に対する適用分野は、例えば、アウトドアスポーツ、全地球測位システム、ラジオ等への適用を含む。有機光起電デバイス２とＯＬＥＤ５との組み合わせも構成されることができる。例えば、光デバイス１が、ＯＬＥＤ５を有するその光デバイス１に電力を供給する有機光起電デバイス２を有する。
【００３９】
別の実施形態では、異なるＯＬＥＤ５が、例えば異なる波長を用いて適用される。更に、波長、強度及び／又は温度制御部が、光デバイス１に接続されることができる。その結果、好ましい治療方法に対応する好ましいカラー設定が適用されることができる。
【００４０】
明らかに、トップ(表面、上部)又はボトム(底面、下部)等の用語は、単に参照目的で使用されるものであり、図面における位置を示すものではない。本発明によるデバイスは、任意の所望の方向において適用され、使用されることができる。
【００４１】
本発明は、明細書及び図面に表される例示的な実施形態にいかなる態様でも限定されるものではないことは明らかである。請求項によって輪郭が示される本発明の枠組み内で多くの変形例及び組み合わせが可能である。特に、開示される側面及び実施形態の組み合わせは、本書において開示されると考えられる。図面は、必ずしも実際の大きさ通りではなく、例えば、厚さが明確さのため誇張されている場合がある。すべての類似の変形は、請求項によって輪郭が示される本発明の範囲に含まれると理解されたい。
【図面の簡単な説明】
【００４２】
【図１Ａ】光デバイスの実施形態の平面図である。
【図１Ｂ】光デバイスの別の実施形態の平面図である。
【図２Ａ】図１又は図１Ｂを介して取られる断面を示す図である。
【図２Ｂ】光デバイスが穴を開けられる前の光デバイスの実施形態の概略的な断面を示す図である。
【図３Ａ】光デバイスの実施形態の概略的な断面を示す図である。
【図３Ｂ】光デバイスが穴を開けられる前の実施形態の概略的な断面を示す図である。
【図４】光デバイスの実施形態の概略的な平面図である。
【図１Ａ】
2009540557.tif 000003
【図１Ｂ】
2009540557.tif 000004
【図２Ａ】
2009540557.tif 000005
【図２Ｂ】
2009540557.tif 000006
【図３Ａ】
2009540557.tif 000007
【図３Ｂ】
2009540557.tif 000008
【図４】
2009540557.tif 000009
【国際調査報告】
2009540557.tif 000010
2009540557.tif 000011
2009540557.tif 000012